(57)【要約】【課題】薄物収容物を安いコストで消費者に提供でき、かつ、見る者にその収容物を印象づける効果を発揮する起き上がり薄型容器を提供する。【解決手段】カバーシート部３を持ち上げると、持ち上げ切片６により収容シート部２が持ち上げられ、収容シート部２が平面状態となって、この平面状態の収容シート部２と本体シート部１と、前記収容シート部２が接触するカバーシート部３の接触位置からこのカバーシート部３のカバー折り目５Ｂまでの部分とで三角形を形成する安定状態となり、この状態で薄型収容物Ｓを収容した収容シート部２の起き上がり状態が保持される。【選択図】図４
2010095271.tif 000002
【特許請求の範囲】
【請求項１】
一枚の平面維持性と可撓性とを有するシートに、相互に平行なカバー折り目と収容折り目とを形成して、これらの折り目により三層に折り畳み、本体シート部と、収容シート部と、カバーシート部とをこの順に三層形成するようにした薄型容器であって、
収容シート部の長さは、その前端がカバー折り目の内側に近接する長さとされ、この収容シート部に基端部を残した状態で切り目により持ち上げ切片を形成し、
この持ち上げ切片は、前記収容シート部の前端から所定距離離間した前記基端部から前記収容折り目方向に伸びたもので、前記基端部に前記収容折り目と平行な基端部折り目を設け、前記持ち上げ切片の前記基端部折り目から所定距離の位置に前記基端部折り目と平行な上部折り目を設け、
前記基端部折り目と前記上部折り目との間の所定距離が、前記基端部と前記収容シート部の前端との間の所定距離以上長いものとされ、
前記薄型容器を三層に折り畳んだ状態で、前記持ち上げ切片の上部折り目から反基端部側に所定区間に渡って設けられた切片側接合部と、前記カバーシート部の該切片側接合部に対面するカバー側接合部とが接合され、
前記薄型容器を三層に折り畳んだ状態から、前記カバーシート部を持ち上げると、前記収容シート部が、前記持ち上げ切片により該収容シート部の可撓性の範囲で前記カバーシート部の内側に接触して屈曲しながら起き上がり、
その後、更にカバーシート部を持ち上げると、前記収容シート部が平面状態となって、この平面状態の収容シート部と本体シート部と、前記収容シート部が接触するカバーシート部の接触位置からこのカバーシート部のカバー折り目までの部分とで三角形を形成する安定状態となり、この状態で前記収容シート部の起き上がり状態が保持されることを特徴とする起き上がり薄型容器。
【請求項２】
カバーシート部は収容シート部より短いものとされ、三層に折り畳んだ状態で持ち上げ切片の反基端部側が覗き出るものとされ、この状態でカバーシート部の前端となる持ち上げ切片の位置に持ち上げ折り目が設けられ、この持ち上げ折り目の先端側が持ち上げ端部とされていることを特徴とする請求項１記載の起き上がり薄型容器。
【請求項３】
収容シート部には、ここに収容する収容物を受け入れる収容切り溝が設けられ、カバーシート部の角部分に、前記収容切り溝に受け入れられる閉止凸部を設けたことを特徴とする請求項１または２記載の起き上がり薄型容器。
【請求項４】
シートは矩形であり、カバー折り目と収容折り目とは、前記矩形シートの一辺に平行であって、収容シート部は、本体シート部及びカバーシート部に比べて短幅とされ、本体シート部及びカバーシート部の、収容シート部より幅方向に突出している両側部分は、三層に折り畳んだ状態で相互に接合され得る本体側接合部及びカバー側横接合部とされ、カバー側横接合部の内側に波状切れ目が設けられていることを特徴とする請求項１記載の起き上がり薄型容器。
【請求項５】
本体側接合部の内側には、収容シート部より幅広となる位置に本体側幅折り目が設けられ、波状切れ目は前記本体幅折り目より幅広となる位置に設けられていることを特徴とする請求項４記載の起き上がり薄型容器。
【請求項６】
持ち上げ切片を、カバーシート部に切り目を入れて形成し、薄型容器を三層に折り畳んだ状態で、前記持ち上げ切片の上部折り目から反基端部側に所定区間に渡って設けられた切片側接合部と、収容シート部の前記切片側接合部に対面する収容側接合部とが接合されることを特徴とする請求項１記載の薄型容器。
【請求項７】
持ち上げ切片を、別体のシートにより形成した持ち上げ片とし、この持ち上げ片の基端部側接合部と先端側接合部との内、一方をカバーシート部に、他方を収容シート部に接合するようにしたことを特徴とする請求項１記載の薄型容器。
【発明の詳細な説明】
【技術分野】
【０００１】
本発明は、シート状のものを折り畳んだ薄型容器であって、内部に薄い収容物を収容し、開いた際には、その収容物を起き上がり状態で保持し、見る者にその収容物を印象づける効果を発揮する起き上がり薄型容器に関する。
【背景技術】
【０００２】
上記のような起き上がり薄型容器として、特許文献１のものが提案されており、図１７は、その本発明の背景技術となる起き上がり薄型容器を示すもので、（ａ）はその起き上がり位置保持状態の外観斜視図、（ｂ）は（ａ）の側方図である。
【０００３】
この起き上がり薄型容器３０は、折り目を介して表紙片とカード受け片とに二つ折りされた台紙２１の内側へ、容器３０の開閉に従って、折り込まれたり立ち上がったりするカード保持部２２を設け、カード保持部２２の両端に設けたカード保持溝２３で、収納するカードＣをスライド自在に保持し、また、台紙２１に、カードＣの抜け落ちを防止するストッパー２４を設けたものである。
【０００４】
このような構成により、この薄型容器３０によれば、開いた際には、収容されたカードＣを図１７（ａ）に示すように起き上がり状態で保持し、この保持状態が保持され、見る者にその収容物を印象づける効果を発揮する（特許文献１の段落［００２９］）。
【０００５】
しかしながら、この薄型容器３０においては、台紙２１とカード保持部２２との２つの部品が必要で、かつ、起き上がりを達成するための構成が複雑であり、また、折り畳んだ状態でも図１７（ｂ）から解るように少なくとも５層構造となり、それだけ折り畳み状態の容器の厚さが厚くなるものであった。
【０００６】
このような複雑な構成の起き上がり薄型容器は、コストの高いものとなり、例えば、販売促進用のシャンプー、ふりかけ、コーヒーなどの試供品や、景品用のカードや、コンパクトディスク、ＤＶＤ、フレキシブルディスク等の薄物収容物を安いコストで消費者に提供するための容器としては適さないように思われた。
【特許文献１】実用新案登録第３０４１１６０号公報（図２、４。台紙１、カード保持部１１、溝２１、ストッパー２２）
【発明の開示】
【発明が解決しようとする課題】
【０００７】
本発明は、上記問題を改善しようとするもので、薄物収容物を安いコストで消費者に提供でき、かつ、見る者にその収容物を印象づける効果を発揮する起き上がり薄型容器を提供することを目的としている。
【課題を解決するための手段】
【０００８】
本発明の起き上がり薄型容器は、一枚の平面維持性と可撓性とを有するシートに、相互に平行なカバー折り目と収容折り目とを形成して、これらの折り目により三層に折り畳み、本体シート部と、収容シート部と、カバーシート部とをこの順に三層形成するようにした薄型容器であって、
収容シート部の長さは、その前端がカバー折り目の内側に近接する長さとされ、この収容シート部に基端部を残した状態で切り目により持ち上げ切片を形成し、
この持ち上げ切片は、前記収容シート部の前端から所定距離離間した前記基端部から前記収容折り目方向に伸びたもので、前記基端部に前記収容折り目と平行な基端部折り目を設け、前記持ち上げ切片の前記基端部折り目から所定距離の位置に前記基端部折り目と平行な上部折り目を設け、
前記基端部折り目と前記上部折り目との間の所定距離が、前記基端部と前記収容シート部の前端との間の所定距離以上長いものとされ、
前記薄型容器を三層に折り畳んだ状態で、前記持ち上げ切片の上部折り目から反基端部側に所定区間に渡って設けられた切片側接合部と、前記カバーシート部の該切片側接合部に対面するカバー側接合部とが接合され、
前記薄型容器を三層に折り畳んだ状態から、前記カバーシート部を持ち上げると、前記収容シート部が、前記持ち上げ切片により該収容シート部の可撓性の範囲で前記カバーシート部の内側に接触して屈曲しながら起き上がり、
その後、更にカバーシート部を持ち上げると、前記収容シート部が平面状態となって、この平面状態の収容シート部と本体シート部と、前記収容シート部が接触するカバーシート部の接触位置からこのカバーシート部のカバー折り目までの部分とで三角形を形成する安定状態となり、この状態で前記収容シート部の起き上がり状態が保持されることを特徴とする。
【発明の効果】
【０００９】
本発明の起き上がり薄型容器によれば、上記構成とされているので、薄物収容物を安いコストで消費者に提供でき、かつ、見る者にその収容物を印象づける効果を発揮する。
【発明を実施するための最良の形態】
【００１０】
以下に、本発明の実施の形態について、図面を用いて説明する。
【実施形態１】
【００１１】
図１は、本発明の起き上がり薄型容器の一例を示す展開図、図２（ａ）は、図１の起き上がり薄型容器を折り畳んだ使用状態を示す上面図、（ｂ）は、（ａ）の側面図、図３（ａ）〜（ｃ）は、図２の状態の起き上がり薄型容器において、カバーシート部が持ち上げられて収容シート部が起き上がり位置保持状態になるまでの経過を示す図、図４は、図１、２の起き上がり薄型容器の起き上がり位置保持状態を示す外観斜視図である。
【００１２】
この起き上がり薄型容器１０は、シート状のものを折り畳んだ薄型容器であって、内部に薄い収容物を収容し、開いた際には、その収容物を起き上がり状態で保持し、見る者にその収容物を印象づける効果を発揮するものである。
【００１３】
この薄型容器１０の中に収容する薄物収容物としては、販売促進用のシャンプー、ふりかけ、コーヒー、食品サンプル、医薬品サンプル、サプリメントサンプルなどの試供品や、景品用のカードやキャラクターグッズ、これらに添付する担当者の名刺や、コンパクトディスク、ＤＶＤ、フレキシブルディスク等の薄い情報伝達媒体などがあるが、薄いものであって、収容に差し支えのないものであれば、どのようなものであってもよい。
【００１４】
この薄型容器１０は、図１と図２に示すように、一枚の平面維持性と可撓性とを有するシートに、相互に平行なカバー折り目５Ｂと収容折り目５Ａとを形成して、これらの折り目５Ａ、５Ｂにより三層に折り畳み、本体シート部１と、収容シート部２と、カバーシート部３とをこの順に三層形成するようにしたものである点をまず特徴とする。
【００１５】
なお、この展開図を示す図１では、実線で外形線及び切り目線を示し、点線で折り目線を示し、二点鎖線の斜線で接合面とその境界線とを示す。この線の用い方は、これ以降の展開図でも同様とする。また、図９、図１１、図１２の展開図では、線の連続部分が不連続部分の３倍程度の破線で、波状切れ目線を示す。
【００１６】
このように一枚のシートを二つの折り目５Ａ、５Ｂで三層に折り畳んだ容器１０なので、その折り畳んだ状態の厚さは、シートの厚さの３倍となり、薄くなる。また、層の数が少ない分だけ、材料としてのシートの量が減り、コスト安となる。
【００１７】
次に、この薄型容器１０は、収容シート部２の長さは、その前端がカバー折り目５Ｂの内側に近接する長さとされ、この収容シート部２に基端部６ｂを残した状態で切り目６ａにより持ち上げ切片６を形成している点を特徴とする。
【００１８】
持ち上げ切片６は、後述するようにカバーシート部３を持ち上げるのに伴い、収容シート部２を持ち上げ、この収容シート部２の起き上がりを達成するものであるが、この薄型容器１０では、この持ち上げ切片６を切り目６ａで収容シート部２に形成しており、追加の材料も必要とせず、また、不要となる材料もなく、コスト面で非常に有効である。
【００１９】
また、この持ち上げ切片６は、収容シート部２への切り目６ａで形成されているので、折り畳み状態では図２（ｂ）に示すように収容シート部２と同一層を形成して、余分な突起となることなく、全体で本体シート部１と収容シート部２とカバーシート部３とだけの三層構造を達成するものであり、容器１０を折り畳んだ状態の全体の三層化、それに伴う薄型化に貢献している。
【００２０】
この持ち上げ切片６は、図１に示すように、収容シート部２の前端から所定距離離間した基端部６ｂから収容折り目５Ａ方向に伸びたもので、この基端部６ｂに収容折り目５Ａと平行な基端部折り目６ｂが設けられ、持ち上げ切片の６基端部折り目６ｂから所定距離の位置に基端部折り目６ｂと平行な上部折り目６ｄが設けられている。
【００２１】
図１に示すように、この基端部折り目６ｂと上部折り目６ｄとの間の所定距離ＬＢが、前記基端部６ｂと前記収容シート部２の前端との間の所定距離ＬＡ以上長いものとされている。
【００２２】
加えて、図１、２で二点鎖線の斜線で示すように、薄型容器１０を三層に折り畳んだ状態で、持ち上げ切片６の上部折り目６ｄから反基端部６ｂ側に所定区間に渡って設けられた切片側接合部６ｅと、カバーシート部３の該切片側接合部６ｅに対面するカバー側接合部３ａとが接合されるようになっている。
【００２３】
このカバーシート部３と収容シート部とを連結する持ち上げ切片６により、図３（ａ）、（ｂ）に示すように、この薄型容器１０を三層に折り畳んだ状態から、カバーシート部３を持ち上げると、収容シート部２が、前記持ち上げ切片６により該収容シート部２の可撓性の範囲で前記カバーシート部３の内側に接触して屈曲しながら起き上がる。
【００２４】
その後、更にカバーシート部３を持ち上げると、図３（ｃ）に示すように、収容シート部２が平面状態となって、この平面状態の収容シート部２と本体シート部１と、前記収容シート部２が接触するカバーシート部３の接触位置Ｃからこのカバーシート部３のカバー折り目５Ｂまでの部分とで三角形を形成する安定状態となり、この状態で収容シート部２の起き上がり状態が保持される。
【００２５】
この安定状態は、この状態に達するために、収容シート部２がカバーシート部３に規制されて屈曲しながら起き上がるという経過と、図３（ｃ）に示すように収容シート部２が規制されない状態では、カバーシート部３からはみ出す円弧ＣＡ（二点鎖線で示す。）を描くという点からも納得できるものである。
【００２６】
実際に、この薄型容器１０では、図３（ｃ）の状態で、カバーシート部３の前端側を矢印Ａ方向に押圧しても、収容シート部２が矢印Ｂ方向に移動することなく、安定状態を維持する。収容シート部２を矢印Ｂ方向に移動させるためには、この収容シート部２の前端側（カバーシート部３との接触側）を矢印Ｂ方向に押圧する必要がある。
【００２７】
一方、特許文献１の薄型容器３０では、図１４（ｂ）で示す方向Ｑの押圧をすれば、カードＣは方向Ｐの閉じる方向へ移動すると記載されている（特許文献１の段落［００２０］）。これに対し、本発明の薄型容器１０は、同じように、カバーシート部３の前端側を矢印Ａ方向に押圧しても、収容シート部２が矢印Ｂ方向に移動することなく起き上がり安定状態を保持するので、より安定性が高いということができる。
【００２８】
また、本発明の薄型容器１０では、収容シート部２に、収容対象物である薄型収容物を収容する収容切り溝２ａが、起き上がった際に下方となる位置に切り目で形成されており、薄型収容物Ｓはその下方だけで収容切り溝２ａに拘束され、起き上がりに際して屈曲するのは、図３（ｂ）に示すように、収容シート部２だけであり、収容切り溝２ａに収容された薄型収容物Ｓは屈曲されるようなことがない。
【００２９】
本発明の起き上がり薄型容器１０によれば、カバーシート部３を持ち上げるだけで、図４に示すように、収容した薄型収容物Ｓを起き上がった状態で見せることができ、見る者に強い印象と一定の視覚的ショックを与えることができる。また、その構造も非常に簡易なものである。
【００３０】
つまり、本発明の起き上がり薄型容器１０によれば、薄物収容物を安いコストで消費者に提供でき、かつ、見る者にその収容物を印象づける効果を発揮することができる。
【００３１】
起き上がり薄型容器１０のシートの素材は、平面維持性と可撓性とを有するものであれば、紙（ダンボール紙を含む。）であっても、合成樹脂であっても、複合材料素材（例えば、紙と合成樹脂との複合材料）であってもよい。
【００３２】
起き上がり薄型容器１０のシートの折り畳み前の外形形状は、ここでは矩形のものを例示したが、これに限定されるものではない、要するに、相互に平行な折り目で三層に折り畳め、持ち上げ切片を切り目により形成できれば良いので、外形形状にはあまり拘束されない。具体的には、円形、多角形、瓢箪形、楕円形、太鼓形、鼓形などであってもよい。
【００３３】
起き上がり薄型容器１０のシートの表面（折り畳んだ状態で外側となる面）と裏面とには、種々の装飾、情報を印刷表示することができる。これに関連して、起き上がり薄型容器１０のシートの折り畳み前あるいは折り畳み後の形状を装飾的な要素を考慮した形状とすることも可能である。
【００３４】
つまり、本発明の起き上がり薄型容器は、上記基本的起き上がり機能を備えながら、その表面と裏面と外形形状とを活用して、装飾的、宣伝媒体的機能も備えることができる。
【００３５】
加えて、この起き上がり薄型容器１０においては、既述の収容切り溝２ａに対応して、カバーシート部３の角部分に、この収容切り溝２ａに受け入れられる閉止凸部３ｂが設けられている点も特徴とする。
【００３６】
この薄型容器１０によれば、この収容切り溝２ａを備えることで、簡単に薄型収容物Ｓを収容保持できると共に、同じ、収容切り溝２ａを利用して、図２（ａ）に示すように、カバーシート部３による収容シート部２の閉止状態を良好に維持することができる。
【００３７】
なお、カバーシート部３を持ち上げる際には、カバーシート部３の可撓性を用いて、閉止凸部３ｂを収容切り溝２ａへの受け入れ状態から離脱させればよい。
【００３８】
また、この起き上がり薄型容器１０においては、図２（ａ）で明確に解るように、カバーシート部３は収容シート部２より短いものとされ、三層に折り畳んだ状態で持ち上げ切片６の反基端部６ｂ側が覗き出るものとされ、この状態でカバーシート部３の前端となる持ち上げ切片６の位置に持ち上げ折り目６ｃが設けられ、この持ち上げ折り目６ｃの先端側が持ち上げ端部６ｆとされている点も特徴とする。
【００３９】
この持ち上げ端部６ｆがあれば、持ち上げ折り目６ｃで屈曲させて、カバーシート部３のこの持ち上げ端部６ｆだけを先に起き上がらせ、図３に示すように、この持ち上げ端部６ｆを摘んで、カバーシート部３を持ち上げることができ、使い勝手が良い。
【００４０】
また、この起き上がり薄型容器１０においては、図４で特に明確に解るように、収容シート部２には、持ち上げ切片６を両側から挟むように２つの収容切り溝２ａが設けられている。
【００４１】
よって、２箇所の収容切り溝２ａに、同じ薄型収容物Ｓを２つ入れたり、異なるものを入れたり、一方に試供品を入れ、他方に名刺を入れたりすることができ、多様な使い分けをすることができる。
【００４２】
また、この起き上がり薄型容器１０においては、図３（ｃ）で解るように、起き上がり安定状態では、持ち上げ切片６の基端部（基端部折り目）６ｂと上部折り目６ｄとの間の部分と、同基端部（基端部折り目）６ｂと収容シート部２の前端との間の部分と、カバーシート部３の接触位置Ｃと上部折り目６ｄとの接合部分との間の部分とで三角形を形成している。
【００４３】
この関係から、所定距離ＬＢが所定距離ＬＡと等しい長さとすると、これらの所定距離ＬＢ、所定距離ＬＡの部分が相互に接触する状態となることが解っており、従って、それ以上、所定距離ＬＢを所定距離ＬＡより長くすることができない。
【００４４】
よって、所定距離ＬＢが所定距離ＬＡ以上の長さをであるということが、本発明の起き上がり薄型容器１０の必須要件となっている。
【００４５】
また、この起き上がり薄型容器１０は、薄型なので、折り畳んだ状態で、定型封筒に収容できるような形状としておけば、定型封筒に入れて郵送することができ、ダイレクトメールなどの場合の郵送コストを低減することができる。
【００４６】
この際、収容シート部２と本体シート部１との間には、印刷物など薄いものであれば、収容することができる。
【実施形態２】
【００４７】
図５は、本発明の起き上がり薄型容器の他例を示す展開図、図６（ａ）は、図５の起き上がり薄型容器を折り畳んだ使用状態を示す上面図、（ｂ）は、（ａ）の側面図、図７（ａ）、（ｂ）は、図６の状態の起き上がり薄型容器において、カバーシート部が持ち上げられて収容シート部が起き上がり位置保持状態になるまでの経過を示す図、（ｃ）は、同薄型容器の起き上がり位置保持状態を示す外観斜視図である。
【００４８】
これより、既に説明した部分と同じ部分については同じ符号を付して重複説明を省略することがある。また、比較する実施形態と異なる部分だけに異なる符号を付して、その異なる部分だけについて説明をする場合がある。
【００４９】
この起き上がり薄型容器１０Ａは、図１〜４で説明した薄型容器１０に比べ、収容シート部２Ａにおいて、持ち上げ切片６Ａの片側だけに一つの収容切り溝２ａが設けられ、もう一方側には収容切り溝２ａがなく、その分、本体シート部１Ａ、収容シート部２Ａ、カバーシート部３Ａがより短幅となっている点が異なっている。
【００５０】
このことに対応して、カバーシート部３Ａの閉止凸部３ｂも、上記片側の収容切り溝２ａに対応した一方角だけに設けられている。
【００５１】
このような構成であっても、この起き上がり薄型容器１０Ａによれば、図５〜図７で解るように、図１〜４で説明した薄型容器１０と同様の効果を発揮することができる。加えて、薄型収容物Ｓが一つで十分な場合には、全体として容器１Ａの大きさを小さくすることができる。
【００５２】
また、この起き上がり薄型容器１０Ａは、図１〜４で説明した薄型容器１０に比べ、図５に示すように、この基端部折り目６ｂと上部折り目６ｄ′との間の所定距離ＬＣと、基端部（基端部折り目）６ｂと収容シート部２の前端との間の所定距離ＬＡとの長さの差が、より大きいものとされている点が異なっている。
【００５３】
これにより、図７（ｂ）に示すように、収容シート部２はより低い接触位置Ｃ′で平面状態となってカバーシート部３Ａと三角形を形成して安定状態となり、その起き上がり状態を保持している。
【００５４】
つまり、本発明の起き上がり薄型容器においては、持ち上げ切片の基端部（基端部折り目）と上部折り目との折り目に垂直な方向の位置関係は、収容シート部と本体シート部とがほぼ同じ長さで、最終的に収容シート部と、カバーシート部の接触位置からカバー折り目までの部分と、本体シート部とで三角形を形成するものであればよいのである。
【実施形態３】
【００５５】
図８は、本発明の起き上がり薄型容器の他例を示す展開図である。
【００５６】
この起き上がり薄型容器１０Ｂは、図１〜４で説明した薄型容器１０に比べ、収容シート部２Ｂにおいて、収容切り溝２ａが無く、持ち上げ切片６Ｂにも、持ち上げ端部部分が無く、カバーシート部３Ｂに閉止凸部が無い点が異なっている。
【００５７】
この薄型容器１０Ｂは、本発明の最も基本的な構成だけを備えたものであるが、持ち上げ切片６Ｂはその基本的機能を、薄型容器１０と同様に発揮する。
【００５８】
よって、この起き上がり薄型容器１０Ｂによれば、収容切り溝、閉止凸部、持ち上げ端部の機能を除き、図１〜４で説明した薄型容器１０と同様の効果を発揮することができる。
【００５９】
なお、この薄型容器１０Ｂにおいて、収容シート部２Ｂに薄型収容物を固定するには、貼り付け、ステープラによる固定など適宜の固定手段を用いれば良い。
【実施形態４】
【００６０】
図９は、本発明の起き上がり薄型容器の他例を示す展開図、図１０（ａ）は、図９の起き上がり薄型容器を折り畳んだ使用状態を示す上面図、（ｂ）は、同薄型容器の起き上がり位置保持状態を示す外観斜視図である。
【００６１】
この起き上がり薄型容器１０Ｃは、図１〜４で説明した薄型容器１０に比べ、収容シート部２Ｃは、本体シート部１Ｃ及びカバーシート部３Ｃに比べて短幅とされ、本体シート部１Ｃ及びカバーシート部３Ｃの、収容シート部２Ｃより幅方向に突出している両側部分は、三層に折り畳んだ状態で相互に接合され得る本体側接合部１ｂ及びカバー側横接合部３ｃとされ、カバー側横接合部３ｃの内側に波状切れ目３ｄが設けられている点が異なっている。
【００６２】
図１０（ａ）に示すように、折り畳んだ状態では、本体シート部１Ｃの本体側接合部１ｂとカバーシート部３Ｃのカバー側横接合部３ｃとが接合され、カバーシート部３Ｃはその閉状態を維持するようになっている。カバーシート部３Ｃには、カバーシート部３Ｃを持ち上げるための持ち上げ凸部３ｅが設けられている。
【００６３】
本体側接合部１ｂとカバー側横接合部３ｃとの接合は、一般の接着剤や、熱溶着接着剤や、両面接着テープ等を用いることができる。これは、カバー側接合部３ａと切片側接合部６ｅとの接合についても同様である。
【００６４】
この持ち上げ凸部３ｅで、カバーシート部３Ｃをめくるように持ち上げると、両側の波状切れ目（切り取り線）３ｄで、カバーシート部３Ｃのカバー側横接合部３ｃだけが収容シート部２Ｃの本体側接合部１ｂに接合された状態で残り、他の部分は持ち上げられて、図１０（ｂ）のように起き上がり安定状態に達する。
【００６５】
こうして、この起き上がり薄型容器１０Ｃによれば、図１〜４の薄型容器１０と同様の効果を発揮する。
【００６６】
加えて、この薄型容器１０Ｃによれば、図１０（ａ）の接合状態では、そのまま封筒に入れることなく、郵送可能な状態であるので、郵送のための別途封筒が不要となり、封筒に入れる手間も省け、コストダウンが可能である。特に、定形郵便物のサイズとしておくと郵送料も節約することができる。
【００６７】
なお、持ち上げ凸部３ｅは、必ずしも、設けなくともよいものである。凸部とする代わりに、凹部としてもよいものである。また、本体側接合部１ｂの内側にも、波状切れ目３ｄと同じ位置に本体側幅折り目１ｃが設けられているが、これも必ずしも、設けなくともよいものである。
【００６８】
また、このカバーシート部３Ｃの両側接合タイプでは、カバー側接合部３ａと切片側接合部６ｅとの接合、及び、本体側接合部１ｂとカバー側横接合部３ｃとの接合を自動化することができる。
【００６９】
その場合、持ち上げ切片６Ｂをカバーシート部３Ｃに接合せず、カバーシート部３Ｃを折り畳まない状態で、先に収容シート部２Ｃの収容切り溝２ａに薄型収容物Ｓを入れると、入れやすく、収容作業の効率化を図ることができる。
【００７０】
また、両面テープで後接着可能なようにしておくと、特に、個人が薄型収容物Ｓを郵送したい場合などに、先に薄型収容物Ｓを収容してから、必要部分を接合することができ、収容が為やすいという効果がある。この際、収容シート部２Ｃと本体シート部１Ｃとの間には、印刷物など薄いものであれば収容可能であり、例えば、手紙も同時に送ることができる。
【実施形態５】
【００７１】
図１１は、本発明の起き上がり薄型容器の他例を示す展開図である。
【００７２】
この起き上がり薄型容器１０Ｄは、図９、１０で説明した薄型容器１０Ｃに比べ、カバーシート部３Ｄの前端側に前端接合部３ｅを設け、これに対応する収容シート部２Ｄの位置に、収容側接合部２ｂを設けた点が点が異なっている。
【００７３】
前端接合部３ｅの内側には、波状切れ目３ｄに連続する前端側波状切れ目３ｆが設けられている。前端接合部３ｅの中央部分は非接合部分であり、ここにカバーシート部３Ｄの前端縁から突出しない持ち上げ辺部３ｇが切れ目により設けられている。
【００７４】
この起き上がり薄型容器１０Ｄによれば、図９、１０の薄型容器１０Ｃと同様の効果を発揮することができ、加えて、カバーシート部３Ｄの前端側の封止がより良く達成できるという効果が発揮される。
【実施形態６】
【００７５】
図１２は、本発明の起き上がり薄型容器の他例を示す展開図、図１３（ａ）は、図９の起き上がり薄型容器を折り畳んだ使用状態を示す外観斜視図、（ｂ）は、同薄型容器の側部分を折り曲げて、波状切れ目を切り開いた状態を示す外観斜視図である。
【００７６】
この起き上がり薄型容器１０Ｅは、図９、１０で説明した薄型容器１０Ｃに比べ、本体側接合部１ｂの内側には、収容シート部２Ｃより幅広となる位置に本体側幅折り目１ｃが設けられている点は共通するが、カバーシート３Ｅの波状切れ目３ｉは前記幅折り目１ｃより幅広となる位置に設けられ、その外側がカバー側横接合部３ｈとなっている点が異なる。
【００７７】
このように構成しておくと、図１３（ａ）の接合閉止状態の薄型容器１Ｅの両側を、図１３（ｂ）のように折り曲げるだけで、カバーシート３Ｅの波状切れ目３ｉには前記幅折り目１ｃを中心として、幅広となっている分だけ離れた半径でその切れ目３ｉを切り離そうとする力が働くので、簡単に、波状切れ目３ｉを切り離すことができる。
【００７８】
この起き上がり薄型容器１０Ｅによれば、図９、１０の薄型容器１０Ｃと同様の効果を発揮することができ、加えて、上記切り離しが容易になるという効果を発揮することができる。
【実施形態７】
【００７９】
図１４は、本発明の起き上がり薄型容器の他例を示す展開図である。
【００８０】
この起き上がり薄型容器１０Ｆは、図８で説明した薄型容器１０Ｂに比べ、持ち上げ切片６Ｃを、カバーシート部３Ｆに切り目６ｇを入れて形成し、薄型容器１０Ｆを三層に折り畳んだ状態で、持ち上げ切片６Ｃの上部折り目８ｉから反基端部６ｈ側に所定区間に渡って設けられた切片側接合部６ｊと、収容シート部２Ｆの前記切片側接合部６ｊに対面する収容側接合部２ｂとが接合される点が異なる。
【００８１】
つまり、この薄型容器１０Ｆは、図８で説明した薄型容器１０Ｂに比べ、持ち上げ切片６Ｃがカバーシート部３Ｆに切り目６ｇを入れて形成されている点が異なるが、収容シート部２Ｆがカバーシート部３Ｆにより持ち上げられる点、起き上がり安定状態を維持する点は同じであり、薄型容器１０Ｂと同様の効果を発揮する。
【００８２】
加えて、この薄型容器１０Ｆによれば、持ち上げ切片６Ｃがカバーシート部３Ｆ側となるので、収容シート部２Ｆに収容される薄型収容物ＳＢの邪魔になることがないので、図示したように、持ち上げ切片６Ｃの位置に拘束されずに収容でき、収容切り溝２ｃも収容シート部２Ｆの幅いっぱいの幅広のものとし、幅広の薄型収容物ＳＢを収容することができる。
【実施形態８】
【００８３】
図１５は、本発明の起き上がり薄型容器の他例を示す展開図である。
【００８４】
この起き上がり薄型容器１０Ｇは、図８で説明した薄型容器１０Ｂに比べ、持ち上げ切片を、別体のシートにより形成した持ち上げ片６Ｄとし、この持ち上げ片６Ｄの基端部側接合部６ｋを収容シート部２Ｇに、先端側接合部６ｅをカバーシート部３Ｂに接合するようにした点が異なる。なお、この接合部分を直交する二点鎖線の斜線で示している。
【００８５】
つまり、この薄型容器１０Ｇは、図８で説明した薄型容器１０Ｂに比べ、持ち上げ切片を別体の持ち上げ片６Ｄとし、その基端部側接合部６ｋを収容シート部２Ｇの収容側接合部２ｄに接合し、図８の持ち上げ切片６Ｂと同じ作用効果を発揮するようにしたものである。
【００８６】
したがって、この薄型容器１０Ｇによれば、図８の薄型容器１０Ｂと同じ効果を発揮することができる。
【００８７】
なお、この薄型容器１０Ｇの場合、持ち上げ片６Ｄの部分だけ、折り畳み時に、全体が四層となるが、収容シート部２Ｇに薄型収容物Ｓを入れた際には、その薄型収容物Ｓの間に位置するので、その厚さは問題とならない。
【００８８】
また、持ち上げ片６Ｄは、カバーシート部３Ｂで収容シート部２Ｇを持ち上げるためのものであるので、カバーシート部３Ｂより薄いシートを素材として製造することができ、その場合には、折り畳んで四層となった場合の厚さの増加はあまり問題とならない。
【００８９】
なお、この例では、持ち上げ片６Ｄの基端部側接合部６ｋを収容シート部２Ｇに接合したが、図１４の薄型容器１０Ｆのように、持ち上げ片の基端部側接合部をカバーシート部側に接合するようにしてもよく、その場合も、同様な効果を発揮する。
【００９０】
また、これまでの薄型容器１０〜１０Ｆと同様に、この薄型容器１０Ｇの場合も、収容折り目５Ａ、カバー折り目５Ｂは、この図１５に見えている折り目を山側にして、収容シート部２Ｇ及びカバーシート部３Ｂを、図の奥側に折り畳むものである。
【実施形態９】
【００９１】
図１６（ａ）は、本発明の起き上がり薄型容器の他例を示す展開図、（ｂ）は（ａ）の薄型容器の折り畳んだ状態を示す外観斜視図である。
【００９２】
図１〜４の起き上がり薄型容器１０について、本発明の薄型容器を形成するシートは、矩形に限定されないことを説明でしたが、この起き上がり薄型容器１０Ｈは、矩形でないものの一例で、展開した状態で鼓型をしたものであり、本体シート部１Ｈ、収容シート部２Ｈ、カバーシート部３Ｈは、それぞれ展開状態で鼓型形成するような形となっている。
【００９３】
また、この薄型容器１０Ｈは、持ち上げ切片６を、幅方向の両側に一対設け、その間に収容切り溝２ｄを設けたものである点も、図１〜４の薄型容器１０と異なっている。また、この薄型容器１０Ｈは、カバーシート部３Ｈに持ち上げ凹部３ｆを設けた点も異なっている。
【００９４】
この薄型容器１０Ｈによれば、図８の薄型容器１０Ｂと同じ効果を発揮することができ、また、本発明の薄型容器の素材シートの形状が矩形に限定されず、円形等や、装飾性のある形状であっても良い点がより明確になる。
【００９５】
なお、本発明の起き上がり薄型容器は、上記の実施形態に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００９６】
本発明の起き上がり薄型容器は、薄物収容物を安いコストで消費者に提供でき、かつ、見る者にその収容物を印象づける効果を発揮することが要請される産業分野、例えば、薄い試供品をダイレクトメールで送る場合、ＣＤやＤＶＤなどの情報伝達媒体を郵送する場合等に用いることができる。
【図面の簡単な説明】
【００９７】
【図１】本発明の起き上がり薄型容器の一例を示す展開図
【図２】（ａ）は、図１の起き上がり薄型容器を折り畳んだ使用状態を示す上面図、（ｂ）は、（ａ）の側面図
【図３】（ａ）〜（ｃ）は、図２の状態の起き上がり薄型容器において、カバーシート部が持ち上げられて収容シート部が起き上がり位置保持状態になるまでの経過を示す図
【図４】図１、２の起き上がり薄型容器の起き上がり位置保持状態を示す外観斜視図
【図５】本発明の起き上がり薄型容器の他例を示す展開図
【図６】（ａ）は、図５の起き上がり薄型容器を折り畳んだ使用状態を示す上面図、（ｂ）は、（ａ）の側面図
【図７】（ａ）〜（ｂ）は、図６の状態の起き上がり薄型容器において、カバーシート部が持ち上げられて収容シート部が起き上がり位置保持状態になるまでの経過を示す図、（ｃ）は、同薄型容器の起き上がり位置保持状態を示す外観斜視図
【図８】本発明の起き上がり薄型容器の他例を示す展開図
【図９】本発明の起き上がり薄型容器の他例を示す展開図
【図１０】（ａ）は、図９の起き上がり薄型容器を折り畳んだ使用状態を示す上面図、（ｂ）は、同薄型容器の起き上がり位置保持状態を示す外観斜視図
【図１１】本発明の起き上がり薄型容器の他例を示す展開図
【図１２】本発明の起き上がり薄型容器の他例を示す展開図
【図１３】（ａ）は、図９の起き上がり薄型容器を折り畳んだ使用状態を示す外観斜視図、（ｂ）は、同薄型容器の側部分を折り曲げて、波状切れ目を切り開いた状態を示す外観斜視図
【図１４】本発明の起き上がり薄型容器の他例を示す展開図
【図１５】本発明の起き上がり薄型容器の他例を示す展開図
【図１６】（ａ）は、本発明の起き上がり薄型容器の他例を示す展開図、（ｂ）は（ａ）の薄型容器の折り畳んだ状態を示す外観斜視図
【図１７】本発明の背景技術となる起き上がり薄型容器を示すもので、（ａ）はその起き上がり位置保持状態の外観斜視図、（ｂ）は（ａ）の側方図
【符号の説明】
【００９８】
１〜１Ｈ        本体シート部
１ｂ      本体側接合部
１ｃ      本体側幅折り目
２〜２Ｈ        収容シート部
２ａ、２ｃ、２ｅ      収容切り溝
２ｄ      収容側接合部
３〜３Ｈ        カバーシート部
３ａ      カバー側接合部
３ｂ      閉止凸部
３ｃ      カバー側横接合部
３ｄ      波状切れ目
３ｅ      持ち上げ凸部
３ｈ      カバー側横接合部
３ｉ      波状切れ目
５Ａ      収容折り目
５Ｂ      カバー折り目
６〜６Ｃ        持ち上げ切片
６Ｄ      持ち上げ片
６ａ、６ｇ      切り目
６ｂ、６ｈ      基端部（基端部折り目）
６ｃ      持ち上げ折り目
６ｄ、６ｄ′、６ｉ    上部折り目
６ｅ、６ｊ      切片側接合部
６ｆ      持ち上げ端部
６ｋ      基端部側接合部
１０〜１０Ｈ      起き上がり薄型容器
Ｃ、Ｃ′      接触位置
ＬＡ〜ＬＣ    所定距離
Ｓ      薄型収容物
ＳＢ    薄型収容物（幅広）
【図１】
2010095271.tif 000003
【図２】
2010095271.tif 000004
【図３】
2010095271.tif 000005
【図４】
2010095271.tif 000006
【図５】
2010095271.tif 000007
【図６】
2010095271.tif 000008
【図７】
2010095271.tif 000009
【図８】
2010095271.tif 000010
【図９】
2010095271.tif 000011
【図１０】
2010095271.tif 000012
【図１１】
2010095271.tif 000013
【図１２】
2010095271.tif 000014
【図１３】
2010095271.tif 000015
【図１４】
2010095271.tif 000016
【図１５】
2010095271.tif 000017
【図１６】
2010095271.tif 000018
【図１７】
2010095271.tif 000019